(57)【要約】【課題】使用者の多様な要求に応じた多くの種類の誘導加熱調理器を、簡単に安価に開発製造し、提供すること。【解決手段】誘導加熱部は、あらかじめ記憶した誘導加熱部が有する機能を識別する制御ユニット情報を前記制御手段に送信し、機器制御手段は、誘導加熱部から受信した制御ユニット情報に基づき機器の機能を特定し、誘導加熱部に対応させて動作することにより、少ない制御ユニットの組み合わせによって機能の違う多種類の誘導加熱調理器を簡単に安価に開発製造できることとなる。【選択図】図１
2010251164.tif 000002
【特許請求の範囲】
【請求項１】
加熱コイルと、加熱コイルの通電を制御する加熱制御ユニットにより構成された１つ以上の誘導加熱部と、前記誘導加熱部の動作を設定し、設定された前記誘導加熱部の設定状態または動作状態に対応して表示または報知を行う表示操作制御ユニットにより構成された１つ以上の表示操作部と、前記表示操作手段で入力された情報から動作状態を決定し、前記表示操作手段から動作状態を表示し、前記誘導加熱部の動作を制御する機器制御手段を備え、前記加熱制御ユニットと前記表示操作制御ユニットは、あらかじめ付与された機能を識別する制御ユニット情報を前記機器制御手段に送信し、前記機器制御手段は、前記加熱制御ユニットと前記表示操作制御ユニットから受信した制御ユニット情報に基づき機器の機種を決定し、前記誘導加熱部と前記表示操作部に対応させて動作する誘導加熱調理器。
【請求項２】
機器制御手段は、表示操作部と誘導加熱部から受信した制御ユニット情報に基づき機器の機能を判別し、機能が適合しない場合には、異常があることを前記表示操作部から表示、または、報知する請求項１に記載の誘導加熱調理器。
【請求項３】
機器制御手段は、誘導加熱部のいずれか１つの加熱制御ユニットに含まれる請求項１または２に記載の誘導加熱調理器。
【請求項４】
機器制御手段は、誘導加熱部から受信した制御ユニット情報に基づき機器の機能を判別した機器情報を記憶する機種情報記憶手段を備え、前記機種情報記憶手段に記憶された機器情報と、表示操作部と誘導加熱部から受信した制御ユニット情報に基づき機器の機能を判別し、機能が適合しない場合には、異常があることを前記表示操作部から表示、または、報知する請求項１〜３のいずれか１項に記載の誘導加熱調理器。
【請求項５】
表示操作部は、複数の加熱部から受信した制御ユニット情報に基づき機器の機能を判別し、機能が適合する加熱部と、機能が適合しない加熱部を判別し、機能が適合しない加熱部のみに、異常があることを前記表示操作部から表示、または、報知する請求項１〜４のいずれか１項に記載の誘導加熱調理器。
【発明の詳細な説明】
【技術分野】
【０００１】
本発明は、調理容器を誘導加熱する誘導加熱調理器に関するものである。
【背景技術】
【０００２】
従来、機器内の同じ位置に実装可能な異なった機能を有する複数種類のユニットの中の１つのユニットを実装して使用する場合に、どの種類のユニットが実装されているかを判別する方法が考案されている（例えば、特許文献１参照）。
【０００３】
また、各電子制御ユニットの検査に際して構成部材の兼用化を図ることにより設備コストの増大を有効に防止する電子制御ユニット用機能検査が考案されている（例えば、特許文献２参照）。
【先行技術文献】
【特許文献】
【０００４】
【特許文献１】特開昭６１−１８４０００号公報
【特許文献２】特開２００１−２６５６１５号公報
【発明の概要】
【発明が解決しようとする課題】
【０００５】
しかしながら、近年の誘導加熱調理器において、鉄やホーローなどの材質の負荷鍋を加熱する誘導加熱部を有する機器だけでなく、アルミや銅などの材質の負荷鍋も加熱する誘導加熱部を有する機器、さらに、それぞれの誘導加熱部を組み合わせたものなど、利用者の使用状況に応じて、多様な機器が開発および製造されている。さらに、ブザー報知機能、音声ガイド機能、換気扇と連動して、換気扇を自動的に制御する機能、有効なキースイッチを知らせる操作ガイド機能など、多くの機能を組み合わせて、利用者の利便性と機器の価格に応じて、非常に多くの機種を開発および製造する必要があり、開発工数と製造工数の増大、多種類の制御ユニットの製造による製造ミスの発生という課題を有していた。
【０００６】
さらに、各制御ユニットを検査する検査装置もそれぞれ必要となり、検査装置の種類が多く、コスト増になるという課題も有していた。
【０００７】
本発明は、前記従来の課題を解決するもので、全体を制御する機器制御手段は、機種情報を持たず、制御ユニットは、各機能に応じて、できるだけ少ない機能、できれば単機能の制御ユニットを開発し、それぞれが、機能を識別する制御ユニット情報を備え、各制御ユニットからの制御ユニット情報に応じて、機器制御手段は、機種を決定し、各制御部の機能を決定し、表示操作および誘導加熱を行うことにより、制御ユニットの種類を減少し、開発工数および製造工数を削減し、安価に、利用者の使用状況に適合する快適で使いやすい誘導加熱調理器を提供することを目的とする。
【課題を解決するための手段】
【０００８】
前記従来の課題を解決するために、本発明の誘導加熱調理器は、加熱コイルと、加熱コイルの通電を制御する加熱制御ユニットにより構成された１つ以上の誘導加熱部と、誘導加熱部の動作を設定し、設定された誘導加熱部の設定状態または動作状態に対応して表示または報知を行う表示操作制御ユニットにより構成された１つ以上の表示操作部と、表示操作部で入力されたキースイッチ情報から動作状態を決定し、表示操作手段から動作状態を表示し、誘導加熱部の動作を制御する機器制御手段を備え、加熱制御ユニットと表示操作制御ユニットは、あらかじめ付与された機能を識別する制御ユニット情報を、機器制御
手段に送信し、機器制御手段は、加熱制御ユニットと表示操作制御ユニットから受信した制御ユニット情報に基づき機器の機種を決定し、各制御ユニットの機能を決定し、制御する。
【発明の効果】
【０００９】
本発明の誘導加熱調理器は、各機能に応じた制御ユニットを開発し、それぞれが制御ユニット情報を付与し、全体を制御する機器制御手段が、各制御ユニットから受信する制御ユニット情報に応じて、機種を決定し、各制御ユニットの機能を決定し、表示操作および誘導加熱を行うことにより、全体を制御する機器制御手段が、機種情報を特定する情報を備えることがないので、制御ユニットの種類を減少し、開発工数および製造工数を削減し、安価に、利用者の使用状況に適合する快適で使いやすい誘導加熱調理器を提供できる。
【図面の簡単な説明】
【００１０】
【図１】本発明の実施の形態１における誘導加熱調理器のブロック図
【図２】（ａ）本発明の実施の形態１における誘導加熱調理器の制御ユニット情報を示す図（ｂ）本発明の実施の形態１における誘導加熱調理器の機種情報を示す図
【図３】本発明の実施の形態１における機種決定動作を示すフローチャート
【発明を実施するための形態】
【００１１】
第１の発明は、加熱コイルと、加熱コイルの通電を制御する加熱制御ユニットにより構成された１つ以上の誘導加熱部と、誘導加熱部の動作を設定し、設定された誘導加熱部の設定状態または動作状態に対応して表示または報知を行う表示操作制御ユニットにより構成された１つ以上の表示操作部と、表示操作手段で入力された情報から動作状態を決定し、表示操作手段から動作状態を表示し、誘導加熱部の動作を制御する機器制御手段を備え、加熱制御ユニットと表示操作制御ユニットは、あらかじめ付与された機能を識別する制御ユニット情報を、機器制御手段に送信し、機器制御手段は、加熱制御ユニットと表示操作制御ユニットから受信した制御ユニット情報に基づき機器の機種を決定するので、各機能に応じた制御ユニットを開発し、それぞれが、機能を識別できる制御ユニット情報を備え、全体を制御する機器制御部が、各制御ユニットからの制御ユニット情報に応じて、機種を決定し、各制御ユニットの機能を決定し、表示操作および誘導加熱を行うことにより、制御ユニットの種類を減少し、開発工数および製造工数を削減し、コストを削減することができる。
【００１２】
第２の発明は、特に、第１の発明の誘導加熱調理器において、機器制御手段は、表示操作部と誘導加熱部から受信した制御ユニット情報に基づき機器の機能を判別し、機能が適合しない場合には、異常があることを前記表示操作部から表示、または、報知するので、製造工程での組み立てミスがあった場合にも、製造工程で、すぐに異常を検知することができ、品質の向上が図れる。
【００１３】
第３の発明は、特に、第１または第２の発明の誘導加熱調理器において、機器制御手段は、誘導加熱部のいずれか１つの制御ユニットに含まれることによって、機器制御手段のみの制御ユニットを開発する必要がなく、さらに機器制御手段と制御ユニットの通信手段を廃止できるので、部品点数が削減でき、コストを抑えることができる。また、表示操作制御ユニットに機器制御手段を備える必要がないため、多種類の表示制御部を接続できるため、機器の機種の簡単に増加することができる。
【００１４】
第４の発明は、特に、第１〜３のいずれか１つの発明の誘導加熱調理器において、機器制御手段は、誘導加熱部から受信した制御ユニット情報に基づき機器の機能を判別した機器情報を記憶する記憶手段を備え、前記記憶手段に記憶された機器情報と、表示操作部と誘導加熱部から受信した制御ユニット情報に基づき機器の機能を判別し、機能が適合しな
い場合には、異常があることを前記表示操作部から表示、または、報知するので、機器の修理において、制御ユニットを誤って接続した場合にも、すぐに異常を検知することができる。
【００１５】
第５の発明は、特に、第１〜４のいずれか１つの発明の誘導加熱調理器において、表示操作部は、複数の加熱部から受信した制御ユニット情報に基づき機器の機能を判別し、機能が適合する加熱部と、機能が適合しない誘導加熱部を判別し、機能が適合しない誘導加熱部に対応した表示手段にのみ、異常があることを前記表示操作部から表示、または、報知するので、適合する制御ユニットの機能は、使用できるため、製造での組み立てミスや、使用者宅での修理ミスがあっても、機器の一部の機能は、利用できるで、使い勝手がよくなる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における誘導加熱調理器のブロック図である。
【００１８】
図１において、１は第１の誘導加熱部、２は第２の誘導加熱部、３は第３の誘導加熱部であり、第１の誘導加熱部１は、加熱コイル６と第１の加熱制御ユニット７により構成され、第２の誘導加熱部２は、加熱コイル８と第２の加熱制御ユニット９により構成され、第３の誘導加熱部３は、加熱コイル１０と第３の加熱制御ユニット１１により構成されている。第１の加熱制御ユニット７と第２の加熱制御ユニット８と第３の加熱制御ユニット１１は、それぞれ、平滑回路、共振コンデンサ、スイッチング素子により構成されたインバータ回路を備え、機器制御手段１４との間で、通信手段１５、通信手段１６、通信手段１７により接続され、機器制御手段１４から受信した制御電力に応じて、それぞれ、加熱コイル６、加熱コイル８、加熱コイル１０の通電を制御する。
【００１９】
４は、第１の表示操作制御ユニットであり、第１の表示操作制御ユニット４は、第１の誘導加熱部１と第２の誘導加熱部２の電力を設定するキースイッチと第１の誘導加熱部１と第２の誘導加熱部２の設定状態または動作状態を表示するＬＥＤやＬＣＤ等の表示素子を備え、機器制御手段１４との間で、通信手段１８、通信手段１９により接続され、機器制御手段１４にキースイッチの押下情報を送信し、さらに、機器制御手段１４から受信した表示情報に応じて、表示を行う。さらに、５は、第２の表示操作制御ユニットであり、第２の表示操作制御ユニット５は、第３の誘導加熱部３の電力を設定するキースイッチと第３の誘導加熱部３の設定状態または動作状態を表示するＬＥＤやＬＣＤ等の表示素子を備え、機器制御手段１４との間で、通信手段１９により接続され、機器制御手段１４にキースイッチの押下情報を送信し、さらに、機器制御手段１４から受信した表示情報に応じて、表示を行う。
【００２０】
また、第１の加熱制御ユニット、第２の加熱制御ユニット、第３の加熱制御ユニット、第１の表示操作制御ユニット、第２の表示操作制御ユニットは、それぞれ、機能を識別するため、制御ユニット情報２０をあらかじめ付与されている。
【００２１】
さらに、２１は、不揮発性のメモリで構成された機種情報記憶手段であり、機器制御手段が、決定した機種情報を記憶している。
【００２２】
図２（ａ）は、制御ユニット情報２０の種類を示す表であり、図２（ｂ）は、機器の種類と制御ユニットの組み合わせを示す表である。
【００２３】
図２（ａ）において、第１または第２の誘導加熱部に使用できる制御ユニットが２種類、第３の誘導加熱部に使用できる制御ユニットが１種類、第１の表示操作部に使用できる制御ユニットが２種類、第２の表示操作部に使用できる制御ユニットが３種類あり、制御ユニットは、全部で８種類あり、それぞれを識別するための制御ユニット情報２０を示している。制御ユニット情報２０が「１」の制御ユニットは、第１または第２の誘導加熱部に第１または第２の加熱制御ユニットとして組み込むことができ、鉄系の負荷鍋だけでなく、アルミや銅等の負荷鍋も最大３．０キロワットで、加熱できる。制御ユニット情報２０が「２」の制御ユニットは、第１または第２の誘導加熱部に第１または第２の加熱制御ユニットとして組み込むことができ、鉄系の負荷鍋だけを最大３．０キロワットで、加熱できる。制御ユニット情報２０が「３」の制御ユニットは、第３の誘導加熱部に第３の加熱制御ユニットとして組み込むことができ、鉄系の負荷鍋だけを最大１．５キロワットで、加熱できる。制御ユニット情報２０が「１１」の制御ユニットは、第１の表示操作部に第１の表示操作制御ユニットとして組み込むことができ、第３の加熱部の設定および表示ができ、ブザーによる報知機能を有している。制御ユニット情報２０が「１２」の制御ユニットは、第１の表示操作部に第１の表示操作制御ユニットとして組み込むことができ、第３の加熱部の設定および表示ができ、音声ガイド機能を有している。制御ユニット情報２０が「２１」の制御ユニットは、第２の表示操作部に第２の表示操作制御ユニットとして組み込むことができ、第１および第２の加熱部の設定および表示ができる。制御ユニット情報２０が「２２」の制御ユニットは、制御ユニット情報２０が「２１」の制御ユニットに操作ガイド機能を付加したものである。さらに、制御ユニット情報２０が「２３」の制御ユニットは、制御ユニット情報２０が「２２」の制御ユニットに操作ガイド機能を付加したものである。
【００２４】
図２（ｂ）において、図２（ａ）に示した制御ユニットの組み合わせで構成された機器の種類を示しており、全部で１８種類の機器が構成できることを示している。機種情報１７の機種は、第１の誘導加熱部の第１の加熱制御ユニットに制御ユニット情報２０が「１」の制御ユニット、第２の誘導加熱部の第２の加熱制御ユニットに制御ユニット情報２０が「２」の制御ユニット、第３の誘導加熱部の第３の加熱制御ユニットに制御ユニット情報２０が「３」の制御ユニット、第１の表示操作部の第１の表示操作制御ユニットに制御ユニット情報２０が「１２」の制御ユニット、第２の表示操作部の第２の表示操作制御ユニットに制御ユニット情報２０が「２３」の制御ユニットを組み込み、第１の誘導加熱部で、鉄系の負荷鍋を最大３．０キロワットで、加熱でき、第１の誘導加熱部で、アルミや銅等の負荷鍋も加熱でき、第１の誘導加熱部で、鉄系の負荷鍋を最大１．５キロワットで、加熱でき、音声ガイド機能、操作ガイド機能、換気扇連動機能を備えるものである。
【００２５】
以上のように構成された誘導加熱調理器について、以下その動作、作用を説明する。
【００２６】
図３は、本実施の形態における機器制御手段の動作フローチャートであり、図３を用いて、動作を説明する。
【００２７】
ステップ５１で、電源が投入されると、各制御ユニットに電源が供給され、各制御ユニットと機器制御手段が、相互に、シリアル通信を開始し、ステップ５２で、各制御ユニットからの各制御ユニット情報２０を機器制御手段１４が受信し、機器制御手段１４は、ステップ５３で、図２（ｂ）の表に従い、機種を決定する。ステップ５４で、図２（ｂ）の表に存在する制御ユニットの組み合わせである場合、ステップ５５で、前回電源を投入した時に決定し、ＥＥＰＲＯＭ等の不揮発性メモリにより構成された機種情報記憶手段２１に記憶した機種情報を読み出し、ステップ５６で前回決定した機種情報がある場合は、ステップ５７に移行する。ステップ５７で、前回決定した機種情報と今回決定した機種情報を比較し、一致した場合は、一致した機種情報で機種を決定して、ステップ５８に移行して動作を開始する。ステップ５８に移行すると、使用者のキースイッチ操作に応じて、加
熱を開始する。
【００２８】
また、ステップ５４で、図２（ｂ）の表に存在する制御ユニットの組み合わせでない場合、ステップ５９に移行し、ステップ５９で、第１の表示操作部および第２の表示操作部に異常であることを表示し、ステップ６０で、動作を停止し、使用者が機器を操作しても、キースイッチを受け付けず、異常表示のみを行う。
【００２９】
また、ステップ５６で前回決定した機種情報がない場合（機器組み込み完成後、始めて電源を投入した場合）は、ステップ６１に移行する。ステップ６１で、今回決定した機種情報をＥＥＰＲＯＭ等の不揮発性メモリに記憶し、今回決定した機種情報で機種を決定して、ステップ５８に移行し、動作を開始する。
【００３０】
また、ステップ５７で、前回決定した機種情報と今回決定した機種情報を比較し、一致しない場合は、ステップ５９に移行して、異常表示を行い、ステップ６０で動作を停止する。
【００３１】
また、本実施の形態においては、制御ユニット情報２０から異常を検知すると、機器のすべての機能を停止しているが、加熱制御部と表示操作部で、適合する機能が、部分的に存在する場合、これを有効にすることで、さらに、故障の場合などは、一部の機能が使用できるため、使い勝手がよくなる。
【００３２】
以上のように本実施の形態おいては、全体を制御する機器制御部が、機種情報を決定する情報を備えず、各制御ユニットからの制御ユニット情報に応じて、機種を決定し、各制御ユニットの機能を決定し、表示操作および誘導加熱を行うことにより、制御ユニットの種類を減少し、開発工数および製造工数を削減し、コストを削減することができる。
【産業上の利用可能性】
【００３３】
以上のように、本発明にかかる誘導加熱調理器は、各制御ユニットに制御ユニット情報を付与し、制御ユニット情報に応じて、機種を決定するので、機種決定を行う制御ユニットを機種毎に開発、製造する必要がなく、各種機器等の開発、設計、製造の効率向上を図ることができる。
【符号の説明】
【００３４】
１  第１の誘導加熱部
２  第２の誘導加熱部
３  第３の誘導加熱部
４  第１の表示操作制御ユニット
５  第２の表示操作制御ユニット
６  第１の加熱コイル
７  第１の加熱制御ユニット
８  第２の加熱コイル
９  第２の加熱制御ユニット
１０  第３の加熱コイル
１１  第３の加熱制御ユニット
１２  第１の表示操作制御ユニット
１３  第２の表示操作制御ユニット
１４  機器制御手段
１５  通信手段
１６  通信手段
１７  通信手段
１８  通信手段
１９  通信手段
２０  制御ユニット情報
２１  機種情報記憶手段
【図１】
2010251164.tif 000003
【図２】
2010251164.tif 000004
【図３】
2010251164.tif 000005